(57)【要約】【課題】  異種無線ネットワーク間におけるハンドオーバーを迅速に実行することが可能なハンドオーバー管理装置を提供する。【解決手段】  ハンドオーバー管理装置１００は、無線ＬＡＮ上に存在するアクセスポイントＡＰ１，ＡＰ２との通信インターフェースを提供する無線ＬＡＮインターフェース部１２０と、無線ＭＡＮ上に存在する基地局ＢＳ１，ＢＳ２との通信インターフェースを提供する無線ＭＡＮインターフェース部１４０と、ハンドオーバー要請通知に基づいて見つけ出したターゲットアクセスノードを、移動ノードのアクセスノードに変更設定するモバイルノード管理部１６０と、を備えている。【選択図】      図２
2006217562.tif 000002
【特許請求の範囲】
【請求項１】
第１の無線ネットワーク上に存在し、移動ノードと接続されたアクセスノードから、ハンドオーバー要請通知を受信するハンドオーバー要請通知受信ステップと、
前記第１の無線ネットワークとは異種の無線ネットワークである第２の無線ネットワーク上に存在するターゲットアクセスノードに関する情報であるターゲットアクセスノード情報を、受信した前記ハンドオーバー要請通知から抽出するターゲットアクセスノード情報抽出ステップと、
抽出された前記ターゲットアクセスノード情報に基づいて見つけ出した前記ターゲットアクセスノードを、前記移動ノードのアクセスノードに変更設定するアクセスノード変更設定ステップと、
を含むことを特徴とするハンドオーバー管理方法。
【請求項２】
前記アクセスノード変更設定ステップの後に、
前記移動ノードに転送されるパケットを受信するパケット受信ステップと、
前記移動ノードのアクセスノードを検索するアクセスノード検索ステップと、
前記検索されたアクセスノードが接続されたポートを検索するポート検索ステップと、
前記転送されるパケットを検索された前記ポートに出力するパケット出力ステップと、
を含むことを特徴とする請求項１に記載のハンドオーバー管理方法。
【請求項３】
前記パケット出力ステップは、
前記移動ノードに転送されるパケットが、前記移動ノードが存在する前記第２の無線ネットワークとは異種の無線ネットワークである前記第１の無線ネットワークのプロトコルによるパケットである場合には、前記パケットを前記第２の無線ネットワークのプロトコルによるパケットに変換するパケット変換ステップと、
変換された前記パケットを検索された前記ポートに出力する変換パケット出力ステップと、
を含むことを特徴とする請求項２に記載のハンドオーバー管理方法。
【請求項４】
前記第２の無線ネットワークは、無線インターネットであることを特徴とする請求項１から請求項３のいずれか一項に記載のハンドオーバー管理方法。
【請求項５】
前記第１の無線ネットワークは無線ＬＡＮおよび無線ＭＡＮのいずれか一つであり、
前記第２の無線ネットワークは無線ＬＡＮおよび無線ＭＡＮのうち他の一つである
ことを特徴とする請求項１から請求項４のいずれか一項に記載のハンドオーバー管理方法。
【請求項６】
第１の無線ネットワーク上に存在するアクセスノードとの通信インターフェースを提供する第１のインターフェース部と、
前記第１の無線ネットワークとは異種の無線ネットワークである第２の無線ネットワーク上に存在するアクセスノードとの通信インターフェースを提供する第２のインターフェース部と、
前記第１のインターフェース部が受信したハンドオーバー要請通知に基づいて見つけ出した前記第２の無線ネットワーク上に存在するターゲットアクセスノードを、移動ノードのアクセスノードに変更設定する移動ノード管理部と、
を備えていることを特徴とするハンドオーバー管理装置。
【請求項７】
前記移動ノードに転送されるパケットが受信された場合に、前記移動ノードのアクセスノードを検索し、前記第１のインターフェース部および前記第２のインターフェース部に設けられたポートのうち検索された前記アクセスノードが接続されたポートを検索した後、前記転送されるパケットを検索された前記ポートに出力するパケット転送部をさらに備えていることを特徴とする請求項６に記載のハンドオーバー管理装置。
【請求項８】
前記パケット転送部は、前記移動ノードに転送されるパケットが、前記移動ノードが存在する前記第２の無線ネットワークとは異種の無線ネットワークである前記第１の無線ネットワークのプロトコルによるパケットである場合には、前記パケットを前記第２の無線ネットワークのプロトコルによるパケットに変換し、変換された前記パケットを検索された前記ポートに出力することを特徴とする請求項７に記載のハンドオーバー管理装置。
【請求項９】
前記第２の無線ネットワークは、無線インターネットであることを特徴とする請求項６から請求項８のいずれか一項に記載のハンドオーバー管理装置。
【請求項１０】
前記第１の無線ネットワークは無線ＬＡＮおよび無線ＭＡＮのいずれか一つであり、
前記第２の無線ネットワークは無線ＬＡＮおよび無線ＭＡＮのうち他の一つである
ことを特徴とする請求項６から請求項９のいずれか一項に記載のハンドオーバー管理装置。
【発明の詳細な説明】
【技術分野】
【０００１】
本発明は、ハンドオーバー管理方法および装置に係り、より詳しくは、異種無線ネットワーク間におけるハンドオーバーの高速化が可能なハンドオーバー管理方法および装置に関する。
【背景技術】
【０００２】
最近、インターネットの急速な普及、無線通信技術の発達、および、携帯型コンピュータ、ＰＤＡ（Personal Digital Assistant）などの移動ノード（Mobile Node：ＭＮ。モバイルノードともいう。）の性能向上にしたがい、無線インターネット（Wireless Internet）の使用者が増加している。無線インターネット環境下において、移動ノードは、その位置を随時移動させて自身のネットワーク接続位置を変えることができる。
【０００３】
移動ノードの無線インターネット通信を可能とするためには、移動ノードが現在接続中のネットワーク領域を外れて次のネットワーク領域に移動する場合に、現在のネットワーク環境で提供されている高品質のインターネットサービスと同等のサービスが次のネットワーク環境でも保障される必要がある。すなわち、移動ノードは、継ぎ目のない（seamless）通信を継続する必要がある。ここで導入された概念がハンドオーバーであり、ハンドオーバー機能は、現在接続中のネットワーク領域におけるアクセスノード（Access Node：ＡＮ）から次のネットワーク領域におけるアクセスノードに対して、通信の実行手続きを移譲する機能である。
【０００４】
一方、移動ノードが移動する場合に、異種ネットワーク間でハンドオーバーを実行しなければならない事態が発生することがある。例えば、移動ノードが無線ＬＡＮ（Wireless Local Area Network）から無線ＭＡＮ（Wireless Metropolitan Area Network）へのハンドオーバーを実行する場合が挙げられる。
【０００５】
このような異種のネットワーク間におけるハンドオーバーとしては、レイヤ３（Layer3。第３層、ネットワーク層（network layer）ともいう。）がハンドオーバーを担当する方式が考えられるが、この方式では、ハンドオーバーに非常に長い時間がかかってしまうおそれがある。
【０００６】
したがって、異種ネットワーク間におけるハンドオーバーをより迅速に実行するための技術が求められている。
【発明の開示】
【発明が解決しようとする課題】
【０００７】
本発明は、前記した事情を鑑みて創案されたものであり、異種無線ネットワーク間におけるハンドオーバーを迅速に実行することが可能なハンドオーバー管理方法および装置を提供することを課題とする。
【課題を解決するための手段】
【０００８】
前記した課題を解決するため、本発明のハンドオーバー管理方法は、第１の無線ネットワーク上に存在し、移動ノードと接続されたアクセスノードから、ハンドオーバー要請通知を受信するハンドオーバー要請通知受信ステップと、前記第１の無線ネットワークとは異種の無線ネットワークである第２の無線ネットワーク上に存在するターゲットアクセスノードに関する情報であるターゲットアクセスノード情報を、受信した前記ハンドオーバー要請通知から抽出するターゲットアクセスノード情報抽出ステップと、抽出された前記ターゲットアクセスノード情報に基づいて見つけ出した前記ターゲットアクセスノードを、前記移動ノードのアクセスノードに変更設定するアクセスノード変更設定ステップと、を含むことを特徴とする。
【０００９】
また、本発明のハンドオーバー管理方法は、前記アクセスノード変更設定ステップの後に、前記移動ノードに転送されるパケットを受信するパケット受信ステップと、前記移動ノードのアクセスノードを検索するアクセスノード検索ステップと、前記検索されたアクセスノードが接続されたポートを検索するポート検索ステップと、前記転送されるパケットを検索された前記ポートに出力するパケット出力ステップと、を含むことが好ましい。
【００１０】
また、前記パケット出力ステップは、前記移動ノードに転送されるパケットが、前記移動ノードが存在する前記第２の無線ネットワークとは異種の無線ネットワークである前記第１の無線ネットワークのプロトコルによるパケットである場合には、前記パケットを前記第２の無線ネットワークのプロトコルによるパケットに変換するパケット変換ステップと、変換された前記パケットを検索された前記ポートに出力する変換パケット出力ステップと、を含むことが好ましい。
【００１１】
また、前記第２の無線ネットワークは、無線インターネットであることが好ましい。
【００１２】
また、前記第１の無線ネットワークは無線ＬＡＮおよび無線ＭＡＮのいずれか一つであり、前記第２の無線ネットワークは無線ＬＡＮおよび無線ＭＡＮのうち他の一つであることが好ましい。
【００１３】
一方、本発明のハンドオーバー管理装置は、第１の無線ネットワーク上に存在するアクセスノードとの通信インターフェースを提供する第１のインターフェース部と、前記第１の無線ネットワークとは異種の無線ネットワークである第２の無線ネットワーク上に存在するアクセスノードとの通信インターフェースを提供する第２のインターフェース部と、前記第１のインターフェース部が受信したハンドオーバー要請通知に基づいて見つけ出した前記第２の無線ネットワーク上に存在するターゲットアクセスノードを、移動ノードのアクセスノードに変更設定する移動ノード管理部と、を備えていることを特徴とする。
【００１４】
また、ハンドオーバー管理装置は、前記移動ノードに転送されるパケットが受信された場合に、前記移動ノードのアクセスノードを検索し、前記第１のインターフェース部および前記第２のインターフェース部に設けられたポートのうち検索された前記アクセスノードが接続されたポートを検索した後、前記転送されるパケットを検索された前記ポートに出力するパケット転送部をさらに備えていることが好ましい。
【００１５】
また、前記パケット転送部は、前記移動ノードに転送されるパケットが、前記移動ノードが存在する前記第２の無線ネットワークとは異種の無線ネットワークである前記第１の無線ネットワークのプロトコルによるパケットである場合には、前記パケットを前記第２の無線ネットワークのプロトコルによるパケットに変換し、変換された前記パケットを検索された前記ポートに出力することが好ましい。
【００１６】
また、前記第２の無線ネットワークは、無線インターネットであることが好ましい。
【００１７】
また、前記第１の無線ネットワークは無線ＬＡＮおよび無線ＭＡＮのいずれか一つであり、前記第２の無線ネットワークは無線ＬＡＮおよび無線ＭＡＮのうち他の一つであることが好ましい。
【発明の効果】
【００１８】
本発明のハンドオーバー管理方法は、移動ノードの異種無線ネットワーク間におけるハンドオーバーを管理し、ハンドオーバーを迅速に実行することができる。
本発明のハンドオーバー管理装置は、異種無線ネットワークの全てに接続されているので、移動ノードの異種無線ネットワーク間におけるハンドオーバーを管理し、ハンドオーバーを迅速に実行することができる。
【発明を実施するための最良の形態】
【００１９】
以下、本発明の実施形態について、添付した図面を参照して詳細に説明する。
【００２０】
図１は、本発明を適用可能なネットワークの構成を示す図である。ネットワークは、アクセスポイント（Access Point：ＡＰ）２１０，２２０を中心に構成される無線ＬＡＮと、基地局（Base Station：ＢＳ）３１０，３２０を中心に構成される無線ＭＡＮと、インターネット５００とが互いに接続されることにより構築されている。アクセスポイント２１０，２２０および基地局３１０，３２０が、特許請求の範囲における「アクセスノード」の例である。また、無線ＬＡＮおよび無線ＭＡＮが、特許請求の範囲における「第１の無線ネットワーク」および「第２の無線ネットワーク」の例であり、「無線インターネット」の例でもある。
【００２１】
ネットワークの中心には、ハンドオーバー管理装置１００が位置している。ハンドオーバー管理装置１００は、無線ネットワーク（無線ＬＡＮ、無線ＭＡＮ）上に存在する移動ノード（Mobile Node：ＭＮ。モバイルノードともいう。）のハンドオーバーが迅速に実行されるように、ネットワークを管理する装置である。特に、ハンドオーバー管理装置１００は、移動ノードが異種無線ネットワーク間におけるハンドオーバーを実行する場合（すなわち、無線ＬＡＮから無線ＭＡＮへのハンドオーバーを実行する場合、またはその逆の場合。）にも迅速なハンドオーバーを実行可能にする。
【００２２】
さらに、ハンドオーバー管理装置１００は、移動ノードがどの無線ネットワークに存在する場合にも、移動ノードへのパケット転送を可能にする。
【００２３】
以下、ハンドオーバー管理装置１００について、図２を参照して詳細に説明する。図２は、本発明の実施形態に係るハンドオーバー管理装置を示すブロック図である。
【００２４】
図２に示すように、ハンドオーバー管理装置１００は、インターネットインターフェース部１１０と、無線ＬＡＮインターフェース部１２０と、パケット転送部１３０と、無線ＭＡＮインターフェース部１４０と、記憶部１５０と、移動ノード管理部１６０と、を備えている。記憶部１５０は、移動ノード−アクセスノードテーブル（Mobile Node-Access Node Table。以下、「ＭＮ−ＡＮテーブル」と記載する。）１５０−１と、アクセスノード−ポートテーブル（Access Node-Port Table。以下、「ＡＮ−ＰＯＲＴテーブル」と記載する。）１５０−２と、を記憶している。
【００２５】
インターネットインターフェース部１１０は、インターネット５００上に存在するノードとの通信インターフェースを提供する。
【００２６】
無線ＬＡＮインターフェース部１２０は、無線ＬＡＮ上に存在するアクセスポイント２１０，２２０との通信インターフェースを提供する。無線ＬＡＮインターフェース部１２０は、ポートＰ１を介してアクセスポイント（ＡＰ１）２１０およびアクセスポイント（ＡＰ２）２２０と接続される。
【００２７】
無線ＭＡＮインターフェース部１４０は、無線ＭＡＮ上に存在する基地局３１０，３２０との通信インターフェースを提供する。無線ＭＡＮインターフェース部１４０は、ポートＰ２を介して基地局（ＢＳ１）３１０と接続され、ポートＰ３を介して基地局（ＢＳ２）３２０と接続される。
【００２８】
無線ＬＡＮインターフェース部１２０および無線ＭＡＮインターフェース部１４０が、特許請求の範囲における「第１のインターフェース部」および「第２のインターフェース部」の例である。
【００２９】
パケット転送部１３０は、外部から送信されたパケットを移動ノードに転送する。パケットを転送する際に、パケット転送部１３０は、記憶部１５０に記憶されたＭＮ−ＡＮテーブル１５０−１およびＡＮ−ＰＯＲＴテーブル１５０−２を参照する。
【００３０】
詳細には、パケット転送部１３０は、移動ノードに転送されるパケットが送信された場合に、ＭＮ−ＡＮテーブル１５０−１を参照して、移動ノードが接続されたアクセスノードを検索する。ここで、ＭＮ−ＡＮテーブル１５０−１とは、移動ノードとその移動ノードが接続されたアクセスノードとの対応関係が記録されたテーブルである。
【００３１】
そして、パケット転送部１３０は、ＡＮ−ＰＯＲＴテーブル１５０−２を参照して、検索されたアクセスノードが接続されたポートを検索する。ここで、ＡＮ−ＰＯＲＴテーブル１５０−２とは、アクセスノードとそのアクセスノードが接続されたポートとの対応関係が記録されたテーブルである。
【００３２】
続いて、パケット転送部１３０は、転送されるパケットを、移動ノードが存在する無線ネットワークのプロトコルによるパケットに変換する。一例としては、転送されるパケットがインターネット５００のプロトコルによるパケットであり、移動ノードが無線ＬＡＮに存在する場合には、パケット転送部１３０は、転送されるパケットを無線ＬＡＮのプロトコルによるパケットに変換する。他の例としては、転送されるパケットがインターネット５００のプロトコルによるパケットであり、移動ノードが無線ＭＡＮに存在する場合には、パケット転送部１３０は、転送されるパケットを無線ＭＡＮのプロトコルによるパケットに変換する。
【００３３】
続いて、パケット転送部１３０は、変換されたパケットを検索されたポートに出力することによって、そのパケットが移動ノードに送信されるようにする。
【００３４】
移動ノード管理部１６０は、記憶部１５０に記憶されたＭＮ−ＡＮテーブル１５０−１を好適に維持管理することによって、移動ノードへのパケット転送が好適に実行されるようにする。
【００３５】
特に、移動ノードがハンドオーバーを実行する場合には、移動ノード管理部１６０は、ＭＮ−ＡＮテーブル１５０−１を更新することによって、移動ノードへのパケット転送が途切れないようにする。
このため、移動ノード管理部１６０は、移動ノードがハンドオーバーを実行する場合に、ＭＮ−ＡＮテーブル１５０−１において移動ノードのアクセスノードをターゲットアクセスノードに変更設定することによって、ＭＮ−ＡＮテーブル１５０−１を更新する。
【００３６】
以下、相手方ノード（Correspondent Node：ＣＮ）５５０と通信を実行中である移動ノード（ＭＮ１）４１０が領域Ａ１から領域Ａ２を経て領域Ａ３に移動することにより、無線ＬＡＮから無線ＭＡＮへのハンドオーバーを実行する場合（図１参照）における、ハンドオーバー管理方法について詳細に説明する。
【００３７】
移動ノード（ＭＮ１）４１０が領域Ａ１に位置している状態では、移動ノード（ＭＮ１）４１０のアクセスノードはアクセスポイント（ＡＰ２）２２０であるため、ＭＮ−ＡＮテーブル１５０−１は、図４Ａに示す様になっている。
そして、図１および図２からわかるように、ＡＮ−ＰＯＲＴテーブル１５０−２は、図４Ｂに示す様になっている。
【００３８】
図３は、本発明の実施形態に係るハンドオーバー管理方法を説明するためのシーケンスチャートである。以下の動作例では、無線ＬＡＮが特許請求の範囲における「第１の無線ネットワーク」に相当し、無線ＭＡＮが特許請求の範囲における「第２の無線ネットワーク」に相当する。
【００３９】
図３に示すように、まず、ハンドオーバー管理装置１００に設けられたパケット転送部１３０が、インターネットインターフェース部１１０を介して相手方ノード（ＣＮ）５５０から受信したデータパケットをアクセスポイント（ＡＰ２）２２０に転送する（ステップＳ６０５）。
【００４０】
具体的には、パケット転送部１３０は、図４Ａに示すＭＮ−ＡＮテーブル１５０−１を参照して、移動ノード（ＭＮ１）４１０と接続されたアクセスノード（ここではアクセスポイント（ＡＰ２）２２０）を見つけ出し、図４Ｂに示すＡＮ−ＰＯＲＴテーブル１５０−２を参照して、当該アクセスノードと接続されたポート（ここではポートＰ１）を見つけ出す。
【００４１】
また、相手方ノード（ＣＮ）５５０から受信したデータパケットはインターネット５００のプロトコルによるデータパケットであるので、パケット転送部１３０は、これを無線ＬＡＮのプロトコルによるデータパケットに変換する。
【００４２】
続いて、パケット転送部１３０は、無線ＬＡＮのプロトコルによるデータパケットをポートＰ１に出力することによって、そのデータパケットをアクセスポイント（ＡＰ２）２２０に送信する。
【００４３】
続いて、アクセスポイント（ＡＰ２）２２０は、転送されるデータパケットを移動ノード（ＭＮ１）４１０に送信する（ステップＳ６１０）。
【００４４】
一方、移動ノード（ＭＮ１）４１０が領域Ａ１から領域Ａ２に移動することによって、無線ＬＡＮから無線ＭＡＮにハンドオーバーを決定すれば（ステップＳ６１５）、移動ノード（ＭＮ１）４１０は、ハンドオーバー要請（Hand-Over Request）のパケットを現在接続されているアクセスノード（サービングアクセスノード（Serving Access Node）ともいう。）であるアクセスポイント（ＡＰ２）２２０に送信する（ステップＳ６２０）。
ハンドオーバー要請のパケットには、次に接続しようとするアクセスノード（ターゲットアクセスノード（Target Access Node）ともいう。）である基地局（ＢＳ１）３１０に関する情報と移動ノードＭＮ１（４１０）に関する情報（移動ノード（ＭＮ１）４１０のＩＰアドレス）とが含まれる。
【００４５】
続いて、アクセスポイント（ＡＰ２）２２０は、ハンドオーバー要請通知（Hand-Over Request Notification）のパケットをハンドオーバー管理装置１００に送信し、ハンドオーバー管理装置１００がハンドオーバー要請通知のパケットを受信する（ステップＳ６２５：ハンドオーバー要請通知受信ステップ）。ハンドオーバー要請通知のパケットには、ターゲットアクセスノードである基地局（ＢＳ１）３１０に関する情報と移動ノードＭＮ１（４１０）に関する情報（移動ノード（ＭＮ１）４１０のＩＰアドレス）とに加え、サービングアクセスノードであるアクセスポイント（ＡＰ２）２２０に関する情報が含まれる。
【００４６】
ハンドオーバー管理装置１００の移動ノード管理部１６０は、ハンドオーバー要請通知のパケットに含まれている情報を用いてＭＮ−ＡＮテーブル１５０−１を更新する（ステップＳ６３０）。
具体的には、移動ノード管理部１６０は、ハンドオーバー要請通知から、ターゲットアクセスノードに関する情報を抽出する（ターゲットアクセスノード情報抽出ステップ）。そして、移動ノード管理部１６０は、ターゲットアクセスノードに関する情報からターゲットアクセスノードを見つけ出し、移動ノード（ＭＮ１）４１０のアクセスノードをサービングアクセスノード（アクセスポイント（ＡＰ２）２２０）からターゲットアクセスノード（基地局（ＢＳ１）３１０）に変更設定（更新設定）する（アクセスノード変更設定ステップ）ことによって、ＭＮ−ＡＮテーブル１５０−１を更新する。更新結果が反映されたＭＮ−ＡＮテーブル１５０−１を図５に示す。
【００４７】
続いて、移動ノード管理部１６０は、相手方ノード（ＣＮ）５５０から転送されるデータパケットが移動ノード（ＭＮ１）４１０のサービングアクセスノードであるアクセスポイント（ＡＰ２）２２０とターゲットアクセスノードである基地局（ＢＳ１）３１０との両方に転送可能な状態となるように、パケット転送部１３０を制御する（ステップＳ６３５，ステップＳ６４０）。そして、移動ノード（ＭＮ１）４１０のサービングアクセスノードであるアクセスポイント（ＡＰ２）２２０は、転送されるデータパケットを移動ノード（ＭＮ１）４１０に送信する（ステップＳ６４５）。
【００４８】
続いて、移動ノード（ＭＮ１）４１０が無線ＬＡＮから無線ＭＡＮへのハンドオーバーを実行すれば、すなわち移動ノード（ＭＮ１）４１０がアクセスポイント（ＡＰ２）２２０との接続を解除し、基地局（ＢＳ１）３１０と接続すれば（ステップＳ６５０）、基地局（ＢＳ１）３１０は、ハンドオーバー完了通知（Hand-Over Complete）のパケットをハンドオーバー管理装置１００に送信する（ステップＳ６５５）。
【００４９】
ハンドオーバー管理装置１００の移動ノード管理部１６０は、ハンドオーバー完了通知のパケット受信を通じて移動ノード（ＭＮ１）４１０のハンドオーバーが完了した旨を認識する。そうすれば、移動ノード管理部１６０は、相手方ノード（ＣＮ）５５０から送信されたデータパケットが基地局（ＢＳ１）３１０にのみ転送されるようにパケット転送部１３０を制御する（ステップＳ６６０）。
【００５０】
具体的には、まず、パケット転送部１３０は、相手方ノードＣＮから、移動ノードＭＮ１に転送されるパケットデータを受信する（パケット受信ステップ）。続いて、パケット転送部１３０は、図５に示すＭＮ−ＡＮテーブル１５０−１を参照して、移動ノード（ＭＮ１）４１０と接続されたアクセスノード（ここでは基地局（ＢＳ１）３１０）を検索して見つけ出し（アクセスノード検索ステップ）、図４Ｂに示すＡＮ−ＰＯＲＴテーブル１５０−２を参照して、当該アクセスノード（基地局（ＢＳ１）３１０）に接続されたポート（ここではポートＰ２）を検索して見つけ出す（ポート検索ステップ）。続いて、パケット転送部１３０は、転送されるデータパケットを、当該ポート（ポートＰ２）に出力する（パケット出力ステップ）。
【００５１】
ここで、パケット出力ステップについて詳しく説明する。相手方ノード（ＣＮ）５５０から送信されたデータパケットは、インターネット５００のプロトコルによるデータパケットであり、当該データパケットが前に接続されていた無線ＬＡＮのプロトコルによるデータパケットに既に変換されている場合には、パケット転送部１３０は、このデータパケットを無線ＭＡＮのプロトコルによるデータパケットに変換する（パケット変換ステップ）。なお、パケット転送部１３０は、無線ＭＡＮのプロトコルによるデータパケットへの変換を介さずに、インターネット５００のプロトコルによるデータパケットを無線ＭＡＮのプロトコルによるデータパケットに変換する構成であっても良い。すなわち、パケット転送部１３０は、転送されるデータパケットのプロトコル変更先を、無線ＬＡＮのプロトコルから無線ＭＡＮのプロトコルに変更する（プロトコル変更先変更ステップ）。続いて、パケット転送部１３０は、無線ＭＡＮのプロトコルによるデータパケットをポートＰ２に出力する（変換パケット出力ステップ）ことによって、そのデータパケットが、基地局（ＢＳ１）３１０に転送されるようにする。
なお、前記したステップＳ６３５，Ｓ６４０の段階で、パケット転送部１３０が、無線ＬＡＮおよび無線ＭＡＮのそれぞれのプロトコルに対応したデータパケットをそれぞれ作成し、ポートＰ１、Ｐ２にそれぞれ出力することによって、アクセスポイント（ＡＰ２）２２０および基地局（ＢＳ１）３１０のそれぞれに送信する構成であっても良い。
【００５２】
続いて、基地局（ＢＳ１）３１０は、転送されるデータパケットを移動ノード（ＭＮ１）４１０に送信する（ステップＳ６６５）。
【００５３】
これにより、移動ノード（ＭＮ１）４１０は、無線ＬＡＮから無線ＭＡＮへのハンドオーバーを実行する場合にもデータパケットを連続的に受信することができる。
移動ノード（ＭＮ１）４１０のハンドオーバーは、無線ＬＡＮと無線ＭＡＮとの全てに接続されたハンドオーバー管理装置１００により実行されるので、より迅速に実行可能である。
【００５４】
以上、本発明の好適な実施形態について説明したが、本発明は前記した実施形態に限定されず、特許請求の範囲によって定義された本発明の要旨を逸脱しない範囲で適宜設計変更可能である。
例えば、移動ノードＭＮ１が無線ＭＡＮから無線ＬＡＮへのハンドオーバーを実行する場合であっても良く、移動ノードＭＮ１が移動する無線ネットワークも、前記したものに限定されない。
【図面の簡単な説明】
【００５５】
【図１】本発明を適用可能なネットワークの構成を示す図である。
【図２】本発明の実施形態に係るハンドオーバー管理装置を示すブロック図である。
【図３】本発明の実施形態に係るハンドオーバー管理方法を説明するためのシーケンスチャートである。
【図４Ａ】移動ノードがハンドオーバーを実行する前の、記憶部に記憶されたＭＮ−ＡＮテーブルを示す図である。
【図４Ｂ】移動ノードがハンドオーバーを実行する前の、記憶部に記憶されたＡＮ−ＰＯＲＴテーブルを示す図である。
【図５】移動ノードがハンドオーバーを実行した後の、記憶部に記憶されたＭＮ−ＡＮテーブルを示す図である。
【符号の説明】
【００５６】
１００  ハンドオーバー管理装置
１２０  無線ＬＡＮインターフェース部
１３０  パケット転送部
１４０  無線ＭＡＮインターフェース部
１５０  記憶部
１５０−１  ＭＮ−ＡＮテーブル
１５０−２  ＡＮ−ＰＯＲＴテーブル
１６０  移動ノード管理部
【図１】
2006217562.tif 000003
【図２】
2006217562.tif 000004
【図３】
2006217562.tif 000005
【図４Ａ】
2006217562.tif 000006
【図４Ｂ】
2006217562.tif 000007
【図５】
2006217562.tif 000008